(57)【要約】【課題】  外気温度にかかわらず、年間を通じて最適な駆動蒸気圧力で運転することによって、冬場の蒸気消費量を低減することが可能な、蒸気エゼクタにおける駆動蒸気圧力の制御方法を提供することを課題とする。【解決手段】  本発明は、蒸気エゼクタ６における駆動蒸気圧力の制御方法であって、前記蒸気エゼクタ６の吐出側圧力を検知あるいは予測する吐出側圧力情報取得工程と、前記吐出側圧力情報取得工程にて得られた吐出側圧力情報に基づいて、前記蒸気エゼクタ６を駆動させる駆動蒸気圧力を制御する駆動蒸気圧力制御工程とを備えたことを特徴としている。例えば、前記吐出側圧力情報取得工程では、前記蒸気エゼクタ６の下流側に接続された凝縮器８に関して検知された圧力が、前記吐出側圧力情報として得られる。【選択図】  図１
2007303808.tif 000002
【特許請求の範囲】
【請求項１】
蒸気エゼクタにおける駆動蒸気量の制御方法であって、
前記蒸気エゼクタの吐出側圧力を検知あるいは予測する、吐出側圧力情報取得工程と、
前記吐出側圧力情報取得工程にて得られた吐出側圧力情報に基づいて、前記蒸気エゼクタを駆動させる駆動蒸気量を制御する、駆動蒸気量制御工程と
を備えたことを特徴とする蒸気エゼクタにおける駆動蒸気量の制御方法。
【請求項２】
蒸気エゼクタにおける駆動蒸気圧力の制御方法であって、
前記蒸気エゼクタの吐出側圧力を検知あるいは予測する、吐出側圧力情報取得工程と、
前記吐出側圧力情報取得工程にて得られた吐出側圧力情報に基づいて、前記蒸気エゼクタを駆動させる駆動蒸気圧力を制御する、駆動蒸気圧力制御工程と
を備えたことを特徴とする蒸気エゼクタにおける駆動蒸気圧力の制御方法。
【請求項３】
前記吐出側圧力情報取得工程にて、前記蒸気エゼクタの下流側に接続された機器に関して検知された圧力が、前記吐出側圧力情報として得られる
請求項２に記載の蒸気エゼクタにおける駆動蒸気圧力の制御方法。
【請求項４】
前記吐出側圧力情報取得工程にて、前記蒸気エゼクタの下流側に接続された機器に関する温度情報から予測された圧力が、前記吐出側圧力情報として得られる
請求項２に記載の蒸気エゼクタにおける駆動蒸気圧力の制御方法。
【請求項５】
前記吐出側圧力情報取得工程にて、湿球温度情報から予測された圧力が、前記吐出側圧力情報として得られる
請求項２に記載の蒸気エゼクタにおける駆動蒸気圧力の制御方法。
【請求項６】
前記駆動蒸気圧力制御工程にて、前記蒸気エゼクタの上流側に接続された圧力調整器が、前記吐出側圧力情報に基づいてフィードバック制御される
請求項２から５のいずれか１項に記載の蒸気エゼクタにおける駆動蒸気圧力の制御方法。
【請求項７】
前記吐出側圧力情報に基づき必要駆動蒸気圧力が定められ、所定のテーブルに基づき、前記蒸気エゼクタに導入される駆動蒸気圧力が前記必要駆動蒸気圧力となるように、前記蒸気エゼクタの上流側に接続された圧力調整器が制御される
請求項２から５のいずれか１項に記載の蒸気エゼクタにおける駆動蒸気圧力の制御方法。
【請求項８】
前記駆動蒸気圧力制御工程が、
前記蒸気エゼクタの上流側に接続された圧力調整器が、前記吐出側圧力情報に基づき、所定の状態に制御される第一開度制御ステップと、
前記蒸気エゼクタの表面温度情報を検知する表面温度情報検知ステップと、
前記蒸気エゼクタの上流側に接続された圧力調整器が、前記表面温度情報に基づいてフィードバック制御される第二開度制御ステップとを有する
請求項２から５のいずれか１項に記載の蒸気エゼクタにおける駆動蒸気圧力の制御方法。
【請求項９】
蒸気エゼクタにおける駆動蒸気量の制御方法であって、
前記蒸気エゼクタの吸引側情報を検知あるいは予測する、吸引側情報取得工程と、
前記吸引側情報取得工程にて得られた吸引側情報に基づいて、前記蒸気エゼクタを駆動させる駆動蒸気量を制御する、駆動蒸気量制御工程と
を備えたことを特徴とする蒸気エゼクタにおける駆動蒸気量の制御方法。
【請求項１０】
蒸気エゼクタにおける駆動蒸気量の制御方法であって、
前記蒸気エゼクタの吐出側情報を検知あるいは予測する、吐出側情報取得工程と、
前記蒸気エゼクタの吸引側情報を検知あるいは予測する、吸引側情報取得工程と、
前記吐出側情報取得工程にて得られた吐出側情報および前記吸引側情報取得工程にて得られた吸引側情報に基づいて、前記蒸気エゼクタを駆動させる駆動蒸気量を制御する、駆動蒸気量制御工程と
を備えたことを特徴とする蒸気エゼクタにおける駆動蒸気量の制御方法。
【請求項１１】
前記吐出側情報取得工程にて、前記蒸気エゼクタの下流側に接続された機器に関して検知された圧力が、前記吐出側情報として得られる
請求項１０に記載の蒸気エゼクタにおける駆動蒸気量の制御方法。
【請求項１２】
前記吐出側情報取得工程にて、前記蒸気エゼクタの下流側に接続された機器に関する温度情報から予測された圧力が、前記吐出側情報として得られる
請求項１０に記載の蒸気エゼクタにおける駆動蒸気量の制御方法。
【請求項１３】
前記吐出側情報取得工程にて、湿球温度情報から予測された圧力が、前記吐出側情報として得られる
請求項１０に記載の蒸気エゼクタにおける駆動蒸気量の制御方法。
【請求項１４】
前記吸引側情報取得工程にて、前記蒸気エゼクタの上流側に接続された機器に関して検知された温度が、前記吸引側情報として得られる
請求項９から１３のいずれか１項に記載の駆動蒸気量の制御方法。
【請求項１５】
前記吸引側情報取得工程にて、前記蒸気エゼクタの上流側に接続された機器に関して検知された圧力が、前記吸引側情報として得られる
請求項９から１３のいずれか１項に記載の駆動蒸気量の制御方法。
【請求項１６】
蒸気エゼクタを用いて構成された減圧システムの制御方法であって、
前記蒸気エゼクタの制御方法が、請求項１から１５のいずれか１項に記載の制御方法である
ことを特徴とする蒸気エゼクタを用いて構成された減圧システムの制御方法。
【発明の詳細な説明】
【技術分野】
【０００１】
本発明は、蒸気エゼクタにおける駆動蒸気量の制御方法、蒸気エゼクタにおける駆動蒸気圧力の制御方法、および蒸気エゼクタを用いて構成された減圧システムの制御方法に関するものである。
【背景技術】
【０００２】
従来から、エネルギの有効利用を行うシステムについては、種々のシステムが提案されており、例えば、その一つとして、エンジンから排出される排ガスの保有熱を排ガスボイラにより回収するシステムが知られている。このシステムは、排ガスボイラにより生成された蒸気を冷暖房等に用いることによって、エネルギの有効利用を図っている。
【０００３】
上記のようなシステムにおいては、エンジンから排出される排ガスの発生量や温度に基づいて、蒸気を使用する機器の種類，数量等のシステム全体の構成が設計されているが、エンジンの稼働状況や排ガスボイラにて生成される蒸気を使用する機器の負荷状況等によって、蒸気が余分に生成される場合がある。つまり、システムを構成するそれぞれの機器の状況に応じて、排ガスボイラにて生成される蒸気が余る場合がある。このような場合には、システム中にバイパス経路を設けてエンジンからの排ガスを排ガスボイラへ入力しないようにして蒸気の生成を中断させたり、排ガスボイラが生成した余分な蒸気を大気中へ放出させたりしていた。すなわち、このような従来のシステムにおいては、エネルギの有効利用が十分にはなされていなかった。
【０００４】
排ガスボイラにて生成される蒸気を利用するシステムとしては、例えば、特許文献１に記載されたシステム（以下、「従来技術にかかるシステム」という。）がある。この従来技術にかかるシステムにおいては、エンジンにより発電機を作動させることで電力を得、エンジンから排出される排ガスを排ガスボイラへ送っている。そして、排ガスボイラにて生成された蒸気を蒸気エゼクタに通過させ、減圧蒸発缶から蒸気を得ると共に、これらの蒸気を蒸気利用設備へ送り、そこで得られた凝縮水をドレンタンクおよび軟水器を経由させて排ガスボイラに循環させている。
【０００５】
つまり、従来技術にかかるシステムにおいては、蒸気エゼクタを用いて、エネルギの有効利用が図られている。
【０００６】
【特許文献１】特開２００２−４９４３号公報
【発明の開示】
【発明が解決しようとする課題】
【０００７】
しかしながら、上述した従来技術にかかるシステムを含めた、蒸気エゼクタを用いたシステムには、次のような問題があった。
【０００８】
蒸気エゼクタの作動範囲は、通常、蒸気エゼクタの吐出側圧力（凝縮器側圧力）（Ｐｏｕｔ）が最も高い夏場を基準に、蒸気エゼクタの最高放射圧力（Ｐｍａｘ）が設定されるため（「Ｐｍａｘ＞Ｐｏｕｔ」となるように設定されるため）、一年間を通じて効率よくエネルギの利用を行うことができないという問題があった。
【０００９】
より具体的には、冬場での運転時には凝縮器冷却水温度が低くなり、蒸気エゼクタの吐出側圧力（凝縮器側圧力）は低くなる。しかし、蒸気エゼクタは夏場と同様の昇圧仕事を行うため、冬場（すなわち気温が低いとき）の蒸気エゼクタは、必要以上の昇圧仕事を行う。つまり、従来技術にかかる蒸気エゼクタにおいては、気温が低いときでも気温が高いときと同様の駆動蒸気を消費することとなって、エネルギの有効利用を図ることができなかった。
【００１０】
また、真空式冷却塔への噴霧冷水温度が高くなった場合、冷水出口温度（吸引側圧力）も高くなり、同じ駆動蒸気量ならば、必要以上の昇圧仕事を行うこととなる。冷水出口温度が高くなった場合には、エネルギを無駄に消費している。
【００１１】
そこで、本発明は、上記従来技術の問題点を解決するためになされたものであり、外気温度にかかわらず、年間を通じて最適な駆動蒸気圧力で運転することによって、冬場の蒸気消費量を低減することが可能な、蒸気エゼクタにおける駆動蒸気圧力（駆動蒸気量）の制御方法を提供することを課題とする。また、本発明は、上記従来技術の問題点を解決するためになされたものであり、吸引側条件（例えば、冷水製造システムを構成する際の真空式冷却塔内温度等）にかかわらず、年間を通じて最適な駆動蒸気量で運転することが可能な、蒸気エゼクタにおける駆動蒸気圧力（駆動蒸気量）の制御方法を提供することを課題とする。このような蒸気エゼクタにおける駆動蒸気圧力（駆動蒸気量）の制御方法を用いれば、システム全体としても年間での平均ランニングコストを低減することが可能となる。
【００１２】
また、本発明は、上述した制御方法にて駆動される蒸気エゼクタを用いた減圧システム（例えば、冷水製造システム）を提供することを課題とする。つまり、本発明は、蒸気エゼクタを用いて構成された減圧システム（例えば、冷水製造システム）の制御方法を提供することを課題とする。このように構成された冷水製造システムであれば、余剰蒸気を使用して冷水を製造可能であるため、システム全体としてランニングコストを低く抑えることができる。また、冷媒を一切使用せずに冷水を製造可能であるため、環境にやさしい冷水製造システムを構成することができる。また、冷水製造システム全体として、ボイラ（例えば、排ガスボイラ）の稼働率の向上と、契約電力量の低減を図ることができる。
【課題を解決するための手段】
【００１３】
本発明は、上記課題を解決するためになされたものであり、蒸気エゼクタにおける駆動蒸気量の制御方法であって、前記蒸気エゼクタの吐出側圧力を検知あるいは予測する、吐出側圧力情報取得工程と、前記吐出側圧力情報取得工程にて得られた吐出側圧力情報に基づいて、前記蒸気エゼクタを駆動させる駆動蒸気量を制御する、駆動蒸気量制御工程とを備えたことを特徴としている。
【００１４】
本発明は、上記課題を解決するためになされたものであり、蒸気エゼクタにおける駆動蒸気圧力の制御方法であって、前記蒸気エゼクタの吐出側圧力を検知あるいは予測する、吐出側圧力情報取得工程と、前記吐出側圧力情報取得工程にて得られた吐出側圧力情報に基づいて、前記蒸気エゼクタを駆動させる駆動蒸気圧力を制御する、駆動蒸気圧力制御工程とを備えたことを特徴としている。
【００１５】
また、本発明にかかる蒸気エゼクタにおける駆動蒸気圧力の制御方法においては、前記吐出側圧力情報取得工程にて、前記蒸気エゼクタの下流側に接続された機器に関して検知された圧力が、前記吐出側圧力情報として得られる構成が好ましい。
【００１６】
また、本発明にかかる蒸気エゼクタにおける駆動蒸気圧力の制御方法においては、前記吐出側圧力情報取得工程にて、前記蒸気エゼクタの下流側に接続された機器に関する温度情報から予測された圧力が、前記吐出側圧力情報として得られる構成が好ましい。
【００１７】
また、本発明にかかる蒸気エゼクタにおける駆動蒸気圧力の制御方法においては、前記吐出側圧力情報取得工程にて、湿球温度情報から予測された圧力が、前記吐出側圧力情報として得られる構成が好ましい。
【００１８】
また、本発明にかかる蒸気エゼクタにおける駆動蒸気圧力の制御方法においては、前記駆動蒸気圧力制御工程にて、前記蒸気エゼクタの上流側に接続された圧力調整器（例えば、モータバルブ）が、前記吐出側圧力情報に基づいてフィードバック制御される構成が好ましい。さらに、このような蒸気エゼクタにおける駆動蒸気圧力の制御方法においては、前記吐出側圧力情報に基づき必要駆動蒸気圧力が定められ、前記蒸気エゼクタに導入される駆動蒸気圧力が前記必要駆動蒸気圧力となるように、前記圧力調整器（例えば、モータバルブ）がフィードバック制御される構成が好ましい。
【００１９】
また、本発明にかかる蒸気エゼクタにおける駆動蒸気圧力の制御方法においては、前記駆動蒸気圧力制御工程にて、前記蒸気エゼクタの上流側に接続された圧力調整器（例えば、モータバルブ）が、前記吐出側圧力情報に基づき、所定の状態（例えば、所定の開度）に制御される構成が好ましい。さらに、このような蒸気エゼクタにおける駆動蒸気圧力の制御方法においては、前記吐出側圧力情報に基づき必要駆動蒸気圧力が定められ、所定のテーブルに基づき、前記蒸気エゼクタに導入される駆動蒸気圧力が前記必要駆動蒸気圧力となるように、前記蒸気エゼクタの上流側に接続された圧力調整器（例えば、モータバルブ）が制御される構成が好ましい。
【００２０】
また、本発明にかかる蒸気エゼクタにおける駆動蒸気圧力の制御方法においては、前記駆動蒸気圧力制御工程が、前記蒸気エゼクタの上流側に接続された圧力調整器（例えば、モータバルブ）が、前記吐出側圧力情報に基づき、所定の状態（例えば、所定の開度）に制御される第一開度制御ステップと、前記蒸気エゼクタの表面温度情報を検知する表面温度情報検知ステップと、前記蒸気エゼクタの上流側に接続された圧力調整器（例えば、モータバルブ）が、前記表面温度情報に基づいてフィードバック制御される第二開度制御ステップとを有する構成が好ましい。
【００２１】
さらに、本発明は、上記課題を解決するためになされたもので、蒸気エゼクタにおける駆動蒸気量の制御方法であって、前記蒸気エゼクタの吸引側情報を検知あるいは予測する、吸引側情報取得工程と、前記吸引側情報取得工程にて得られた吸引側情報に基づいて、前記蒸気エゼクタを駆動させる駆動蒸気量を制御する、駆動蒸気量制御工程とを備えたことを特徴としている。
【００２２】
また、本発明は、上記課題を解決するためになされたもので、蒸気エゼクタにおける駆動蒸気量の制御方法であって、前記蒸気エゼクタの吐出側情報を検知あるいは予測する、吐出側情報取得工程と、前記蒸気エゼクタの吸引側情報を検知あるいは予測する、吸引側情報取得工程と、前記吐出側情報取得工程にて得られた吐出側情報および前記吸引側情報取得工程にて得られた吸引側情報に基づいて、前記蒸気エゼクタを駆動させる駆動蒸気量を制御する、駆動蒸気量制御工程とを備えたことを特徴としている。
【００２３】
また、本発明にかかる蒸気エゼクタにおける駆動蒸気量の制御方法においては、前記吐出側情報取得工程にて、前記蒸気エゼクタの下流側に接続された機器に関して検知された圧力が、前記吐出側情報として得られる構成であることが好ましい。
【００２４】
また、本発明にかかる蒸気エゼクタにおける駆動蒸気量の制御方法においては、前記吐出側情報取得工程にて、前記蒸気エゼクタの下流側に接続された機器に関する温度情報から予測された圧力が、前記吐出側情報として得られる構成であることが好ましい。
【００２５】
また、本発明にかかる蒸気エゼクタにおける駆動蒸気量の制御方法においては、前記吐出側情報取得工程にて、湿球温度情報から予測された圧力が、前記吐出側情報として得られる構成であることが好ましい。
【００２６】
また、本発明にかかる蒸気エゼクタにおける駆動蒸気量の制御方法においては、前記吸引側情報取得工程にて、前記蒸気エゼクタの上流側に接続された機器に関して検知された温度が、前記吸引側情報として得られる構成であることが好ましい。蒸気エゼクタの上流側に接続された機器としては、例えば、真空式冷却塔があげられる。
【００２７】
また、本発明にかかる蒸気エゼクタにおける駆動蒸気量の制御方法においては、前記吸引側情報取得工程にて、前記蒸気エゼクタの上流側に接続された機器に関して検知された圧力が、前記吸引側情報として得られる構成であることが好ましい。蒸気エゼクタの上流側に接続された機器としては、例えば、真空式冷却塔があげられる。
【００２８】
さらに、本発明は、上記課題を解決するためになされたもので、蒸気エゼクタを用いて構成された減圧システム（例えば、冷水製造システム）の制御方法であって、前記蒸気エゼクタの制御方法が、上述したいずれかの制御方法（蒸気エゼクタにおける駆動蒸気圧力（駆動蒸気量）の制御方法）であることを特徴としている。
【発明の効果】
【００２９】
本発明によれば、外気温度にかかわらず、年間を通じて最適な駆動蒸気圧力で運転することによって、冬場の蒸気消費量を低減することが可能な、蒸気エゼクタにおける駆動蒸気圧力（駆動蒸気量）の制御方法を得ることができる。また、本発明によれば、吸引側情報に基づいて効率的に最適な駆動蒸気量で運転して、蒸気消費量を低減することが可能な、蒸気エゼクタにおける駆動蒸気量の制御方法を得ることができる。さらに、本発明にかかる蒸気エゼクタにおける駆動蒸気圧力の制御方法を用いれば、システム全体としても年間での平均ランニングコストを低減することが可能となる。
【発明を実施するための最良の形態】
【００３０】
以下、本発明の実施形態について説明する。
【００３１】
まず、本実施形態の第一態様にかかる蒸気エゼクタにおける駆動蒸気量（駆動蒸気圧力）の制御方法は、蒸気エゼクタの吐出側圧力を検知あるいは予測する、吐出側圧力情報取得工程と、吐出側圧力情報取得工程にて得られた吐出側圧力情報に基づいて、蒸気エゼクタを駆動させる駆動蒸気量（駆動蒸気圧力）を制御する、駆動蒸気量（駆動蒸気圧力）制御工程とを備えたことを特徴としている。駆動蒸気量の制御は、主に駆動蒸気圧力の制御によって行われる。
【００３２】
また、本実施形態の第二態様にかかる蒸気エゼクタにおける駆動蒸気圧力の制御方法は、第一態様にかかる吐出側圧力情報取得工程にて、蒸気エゼクタの下流側に接続された機器に関して検知された圧力が、吐出側圧力情報として得られるべく構成されている。
【００３３】
また、本実施形態の第三態様にかかる蒸気エゼクタにおける駆動蒸気圧力の制御方法は、第一態様にかかる吐出側圧力情報取得工程にて、蒸気エゼクタの下流側に接続された機器に関する温度情報から予測された圧力が、吐出側圧力情報として得られるべく構成されている。
【００３４】
また、本実施形態の第四態様にかかる蒸気エゼクタにおける駆動蒸気圧力の制御方法は、第一態様にかかる吐出側圧力情報取得工程にて、湿球温度情報から予測された圧力が、吐出側圧力情報として得られるべく構成されている。本実施形態においては、湿球温度情報として、冷却塔の空気吸込口付近の湿球温度情報が用いられることが好ましい。
【００３５】
また、本実施形態の第五態様にかかる蒸気エゼクタにおける駆動蒸気圧力の制御方法は、第一乃至第四態様にかかる駆動蒸気圧力制御工程にて、蒸気エゼクタの上流側に接続された圧力調整器（例えば、モータバルブ）が、吐出側圧力情報に基づいてフィードバック制御されるべく構成されている。
【００３６】
さらに、本実施形態の第六態様にかかる蒸気エゼクタにおける駆動蒸気圧力の制御方法は、第五態様において、吐出側圧力情報に基づき必要駆動蒸気圧力が定められ、蒸気エゼクタに導入される駆動蒸気圧力が必要駆動蒸気圧力となるように、圧力調整器（例えば、モータバルブ）がフィードバック制御されるべく構成されている。
【００３７】
また、本実施形態の第七態様にかかる蒸気エゼクタにおける駆動蒸気圧力の制御方法は、第一乃至第四態様にかかる駆動蒸気圧力制御工程にて、蒸気エゼクタの上流側に接続された圧力調整器（例えば、モータバルブ）が、吐出側圧力情報に基づき、所定の状態（例えば、所定の開度）に制御されるべく構成されている。
【００３８】
さらに、本実施形態の第八態様にかかる蒸気エゼクタにおける駆動蒸気圧力の制御方法は、第七態様において、吐出側圧力情報に基づき必要駆動蒸気圧力が定められ、所定のテーブルに基づき、蒸気エゼクタに導入される駆動蒸気圧力が必要駆動蒸気圧力となるように、圧力調整器（例えば、モータバルブ）が所定の状態（例えば、所定の開度）に制御されるべく構成されている。
【００３９】
また、本実施形態の第九態様にかかる蒸気エゼクタにおける駆動蒸気圧力の制御方法は、第一乃至第四態様にかかる駆動蒸気圧力制御工程が、蒸気エゼクタの上流側に接続された圧力調整器（例えば、モータバルブ）が、吐出側圧力情報に基づき、所定の状態（例えば、所定の開度）に制御される第一開度制御ステップと、蒸気エゼクタの表面温度情報を検知する表面温度情報検知ステップと、蒸気エゼクタの上流側に接続された圧力調整器（例えば、モータバルブ）が、表面温度情報に基づいてフィードバック制御される第二開度制御ステップとを有すべく構成されている。
【００４０】
さらに、本実施形態の第十態様にかかる蒸気エゼクタにおける駆動蒸気量の制御方法は、蒸気エゼクタの吸引側情報を検知あるいは予測する、吸引側情報取得工程と、吸引側情報取得工程にて得られた吸引側情報に基づいて、蒸気エゼクタを駆動させる駆動蒸気量を制御する、駆動蒸気量制御工程とを備えたことを特徴としている。
【００４１】
また、本実施形態の第十一態様にかかる蒸気エゼクタにおける駆動蒸気量の制御方法は、蒸気エゼクタの吐出側情報を検知あるいは予測する、吐出側情報取得工程と、蒸気エゼクタの吸引側情報を検知あるいは予測する、吸引側情報取得工程と、吐出側情報取得工程にて得られた吐出側情報および吸引側情報取得工程にて得られた吸引側情報に基づいて、蒸気エゼクタを駆動させる駆動蒸気量を制御する、駆動蒸気量制御工程とを備えたことを特徴としている。
【００４２】
さらに、本実施形態の第十二態様にかかる蒸気エゼクタにおける駆動蒸気量の制御方法は、第十一態様にかかる吐出側情報取得工程にて、蒸気エゼクタの下流側に接続された機器に関して検知された圧力が、吐出側情報として得られるべく構成されている。
【００４３】
また、本実施形態の第十三態様にかかる蒸気エゼクタにおける駆動蒸気量の制御方法は、第十一態様にかかる吐出側情報取得工程にて、蒸気エゼクタの下流側に接続された機器に関する温度情報から予測された圧力が、吐出側情報として得られるべく構成されている。
【００４４】
さらに、本実施形態の第十四態様にかかる蒸気エゼクタにおける駆動蒸気量の制御方法は、第十一態様にかかる吐出側情報取得工程にて、吐出側情報取得工程にて、湿球温度情報から予測された圧力が、吐出側情報として得られるべく構成されている。
【００４５】
また、本実施形態の第十五態様にかかる蒸気エゼクタにおける駆動蒸気量の制御方法は、第十態様から第十四態様のいずれかにかかる吸引側情報取得工程にて、蒸気エゼクタの上流側に接続された機器に関して検知された温度が、吸引側情報として得られるべく構成されている。蒸気エゼクタの上流側に接続された機器としては、例えば、真空式冷却塔があげられる。
【００４６】
さらに、本実施形態の第十六態様にかかる蒸気エゼクタにおける駆動蒸気量の制御方法は、第十態様から第十四態様のいずれかにかかる吸引側情報取得工程にて、蒸気エゼクタの上流側に接続された機器に関して検知された圧力が、吸引側情報として得られるべく構成されている。蒸気エゼクタの上流側に接続された機器としては、例えば、真空式冷却塔があげられる。
【００４７】
さらに、本実施形態の第十七態様は、蒸気エゼクタを用いて構成された減圧システム（例えば、冷水製造システム）の制御方法であって、蒸気エゼクタの制御方法が、上述した第一態様から第十六態様のいずれかにかかる制御方法（蒸気エゼクタにおける駆動蒸気圧力（駆動蒸気量）の制御方法）であることを特徴としている。
【００４８】
また、本実施形態の第十八態様は、蒸気エゼクタを用いて構成された減圧システム（例えば、冷水製造システム）であって、蒸気生成部と、蒸気生成部から供給される蒸気を導入可能な蒸気エゼクタ（上述した制御方法にて駆動される種々の蒸気エゼクタのいずれか）と、蒸気エゼクタの下流側に接続された凝縮器と、蒸気エゼクタの上流側に接続された圧力調整器（例えば、モータバルブ）と、蒸気エゼクタの上流側に接続された真空式冷却塔（真空式冷水製造機）とを備えたことを特徴としている。
【００４９】
以下、図面に基づき、本発明の実施例にかかる冷水製造システムについて説明する。
【００５０】
なお、以下の実施例においては、後述すべく、蒸気エゼクタを用いて構成されるシステム（減圧システム）として「冷水製造システム（冷水製造装置）」を示しているが、本発明はこの構成に限定されない。すなわち、本発明にかかる蒸気エゼクタ（エネルギを有効利用可能な蒸気エゼクタ）を用いて構成されるシステム（減圧システム）は、冷水製造システムに限定されるものではなく、例えば、真空解凍システム（真空解凍機）、真空冷却システム（真空冷却機）、蒸煮冷却システム（蒸煮冷却機）等、被減圧部（例えば、真空冷却塔）内を減圧するために蒸気エゼクタを用いて構成されるシステムであれば、どのようなシステムであってもよく、いずれのシステム（減圧システム）も本発明の技術的範囲に属する。
【００５１】
また、後述する実施例に示された冷水製造システムは、本発明にかかる蒸気エゼクタを用いて構成された、エネルギを有効利用可能なシステムの一例を示すものであって、有効利用するエネルギとしてエンジン（エネルギ源）にて生成されるエネルギを用いる例を示している。より具体的には、このエンジンからの排ガスを排ガスボイラにて回収して蒸気を生成し、この排ガスおよび蒸気を有効に利用可能なシステムの例を示している。しかし、当然のことながら、本発明はこの構成に限定されず、本発明にかかる蒸気エゼクタを用いて、他のエネルギ源にて生成されたエネルギを有効利用すべく構成されたシステムであっても本発明の技術的範囲に属する。
【００５２】
＜第一実施例＞
図１は、本発明の第一実施例にかかる蒸気エゼクタを用いて構成された冷水製造システムの概略図を示したものである。この図１に示された冷水製造システムは、上述したように、本発明にかかる蒸気エゼクタを用いて構成されたエネルギを有効利用可能なシステムの一例を示すものである。
【００５３】
この図１に示すように、本実施例にかかる冷水製造システム（エネルギの有効利用システム）は、エンジン１、このエンジン１の排ガスを利用して蒸気を作り出す蒸気生成部の具体例としての排ガスボイラ２、排ガスボイラ２から蒸気使用箇所（図示省略）へ蒸気を供給する主蒸気供給ライン３、この主蒸気供給ライン３とは別個の第一副蒸気供給ライン４、この第一副蒸気供給ライン４から分岐した第二副蒸気供給ライン５、第一副蒸気供給ライン４の下流側に設けられた蒸気エゼクタ６、この蒸気エゼクタ６に接続された被減圧部の具体例としての真空式冷却塔７、蒸気エゼクタ６を通過した蒸気を凝縮させる凝縮器８、この凝縮器８内を減圧する減圧手段の具体例としての水封式真空ポンプ９、凝縮器８から凝縮水８ａを排出する凝縮水排出手段の具体例としての排出ポンプ１０、および凝縮器８との間で熱交換を行う冷却塔１１等を用いて構成されている。
【００５４】
エンジン１は、例えば、発電機（図示省略）を作動させると共に、エンジン１作動時に排出される排ガスを排ガスボイラ２へ送るべく構成されている。つまり、エンジン１は、メインとなる機能（ここでは「発電機を作動させる」という機能）を発揮することに加えて、その際に発生する排ガスを有効利用すべく、排ガスボイラ２と接続されている。
【００５５】
排ガスボイラ２は、蒸気生成部に相当するものであって、エンジン１からの排ガスを利用して蒸気を生成する。本実施例にかかる排ガスボイラ２には、生成された蒸気を使用する箇所に供給する主蒸気供給ライン３と、余剰蒸気を蒸気エゼクタ６に供給する第一副蒸気供給ライン４とが接続されており、さらに第一副蒸気供給ライン４から分岐して第二副蒸気供給ライン５が設けられている。また、この排ガスボイラ２へは、例えば、後述する凝縮器８からの補給水（凝縮水）と、軟水器（図示省略）や脱気装置（図示省略）を経由した脱気された軟水とを合流させたものが給水として送られる。
【００５６】
真空式冷却塔７は、被減圧部に相当し、処理水供給ライン１２を介して、真空式冷却塔７の本体内部へ処理水が供給されるべく構成されている。そして、このようにして供給された処理水が本体の上方位置に設けられた処理水散布部７Ａから散布されると、処理水は蒸発潜熱を奪われて冷水７ａとなる。このようにして得られた冷水７ａは、冷水送水ポンプ１３を用いて、冷水使用箇所（あるいは冷水貯留箇所）に送られて、適宜利用されることとなる。
【００５７】
凝縮器８としては、例えば、シェルアンドチューブ式熱交換機が用いられる。シェルアンドチューブ式熱交換機は、蒸気を導入可能な複数のチューブが所定間隔を有して立設されており、冷却塔１１から供給される冷却用の水が冷却水ライン１４から供給されて、この冷却水がチューブの外側に接触することにより、蒸気と冷却水とが間接的に熱交換を行うように構成されている。冷却用の水は、蒸気との間で熱交換を行った後に、冷却塔１１に戻され、冷却塔１１で冷却されて、再び凝縮器８（シェルアンドチューブ式熱交換機）へ循環される。
【００５８】
水封式真空ポンプ９は、減圧手段に相当するもので、凝縮器８内を減圧状態にすることによって、蒸気エゼクタ６からの蒸気を積極的に凝縮器８内へ導入すると共に、非凝縮性ガスである空気を排出する役割を有している。この水封式真空ポンプ９は、凝縮水８ａを吸い込んで排出するのを防止するために、凝縮器８内における凝縮水８ａの貯留水位より上方位置に接続されている。また、この水封式真空ポンプ９と凝縮器８との接続箇所は、凝縮器８と蒸気エゼクタ６との接続箇所から可能な限り離れた位置に設けられている。これは、凝縮器８内へ導入された凝縮前の蒸気を排出しにくくするためである。さらに、水封式真空ポンプ９は、封水の温度を調整することによって真空ポンプの処理能力を制御することができる。
【００５９】
排出ポンプ１０は、凝縮器８内の凝縮水８ａを排出するための凝縮水排出手段に相当する。そして、この排出ポンプ１０は、必要に応じて、水封式真空ポンプ９により減圧状態となった凝縮器８内の凝縮水８ａを排出すべく機能する。この排出ポンプ１０にて凝縮器８内から排出された凝縮水８ａは、例えば、所定の貯留タンク（図示省略）等に貯留された後、排ガスボイラ２や冷却塔１１等に供給されて循環利用される。
【００６０】
冷却塔１１としては、一般的に公知である開放式の冷却塔を例示している。この冷却塔１１は、上部に開口部を有し下部に貯留槽を有する本体と、この本体内に気流を発生させるために開口部に設けられたファン１１Ａと、本体内に冷却水を散布させる散布部１１Ｂ等とを用いて構成されている。冷却水は、ファン１１Ａの下方位置に設けられた散布部１１Ｂから散布され、散布された冷却水は、ファン１１Ａによる気流と接触することによって冷却される。冷却水は、本体下部の貯留槽に貯留された後、冷却水ライン１４を介して凝縮器８内を経由し、再び冷却塔１１へ戻る。戻った冷却水は、凝縮器８内での熱交換により熱を保有しているが、この熱は、冷却塔１１内で散布されることによって一部は蒸発して開口部から大気へ放出される。
【００６１】
排ガスボイラ２により生成された蒸気の一部は、第一副蒸気供給ライン４を介して蒸気エゼクタ６に導入され、この蒸気は蒸気エゼクタ６を通過した後、凝縮器８内へ導かれる。このように、第一副蒸気供給ライン４から蒸気エゼクタ６に蒸気が導入される際には、蒸気エゼクタ６内のノズル部から蒸気が噴出されることとなり、この蒸気の噴出エネルギによって、蒸気エゼクタ６に接続された蒸気吸引ライン１５を介して、真空式冷却塔７内が減圧される。また、蒸気エゼクタ６内における蒸気の噴出エネルギに起因する減圧作用により、真空式冷却塔７内の蒸気は吸引され、蒸気エゼクタ６内で混合し、これらの蒸気は、蒸気エゼクタ６を介して凝縮器８側に供給される。凝縮器８内は、水封式真空ポンプ９により非凝縮性ガスである空気が排出されるので、凝縮器８内の凝縮水８ａには空気が溶存せず、これにより凝縮水８ａは脱気されたものになる。また、蒸気エゼクタ６から凝縮器８側へ放出された蒸気は、冷却塔１１から凝縮器８へ導入される冷却水との間で熱交換を行うことによって凝縮され、凝縮水８ａとして凝縮器８内に貯留される。このようにして得られた凝縮水８ａは、排ガスボイラ２および真空式冷却塔７からの不純物のない蒸気が凝縮されたものであり、非凝縮性ガスである空気を含んでいない。つまり、この凝縮水８ａは脱気された純水であるため、必要に応じて、補給水として排ガスボイラ２や冷却塔１１に対してそれぞれ供給され、エネルギの有効利用が図られることとなる。
【００６２】
以上のように、凝縮水８ａを排ガスボイラ２に補給水として用いると、この凝縮水８ａは純水であるから、濃縮水の排水量（ブロー量）を低減することが可能になると共に、カルシウム、マグネシウム等の硬度分がないのでスケール付着を抑制することができる。また、純水であることから、排ガスボイラ２を構成する水管等の腐食因子である硫酸イオン、塩化物イオンがなく、しかも脱気されているので、水管等の腐食の発生を抑制することができる。さらに、凝縮水８ａは温水であるため、給水予熱のためのエネルギを抑えることができる。
【００６３】
また、この凝縮水８ａを冷却塔１１に対する補給水として用いた場合は、凝縮水８ａ中には硬度分が含まれていないため、藻類、スライム、レジオネラ属菌の繁殖を抑制することができる。さらに、凝縮水８ａは純水なので、循環水の濃縮を低減でき、濃縮水の排水量（ブロー量）を低減することができる。また、硫酸イオン、塩化物イオンがないため、腐食の発生を抑制することができる。
【００６４】
さて、以上のように構成された本実施例にかかる冷水製造システムにおいては、エネルギをより有効に活用するために、蒸気エゼクタ６を駆動させるための駆動蒸気圧力が適切に制御されている。以下、その制御方法について、具体的に説明する。
【００６５】
本実施例にかかる冷水製造システムを構成する蒸気エゼクタ６における駆動蒸気圧力の制御方法は、蒸気エゼクタ６の吐出側圧力を検知する吐出側圧力情報取得工程と、吐出側圧力情報取得工程にて得られた吐出側圧力情報に基づいて、蒸気エゼクタ６を駆動させる駆動蒸気圧力を制御する駆動蒸気圧力制御工程とを備えている。
【００６６】
まず、本実施例にかかる吐出側圧力情報取得工程においては、蒸気エゼクタ６の下流側に接続された機器（凝縮器８）に関して検知された圧力が、吐出側圧力情報として得られる。より具体的には、本実施例にかかる吐出側圧力情報は、凝縮器８内部の蒸気側圧力（Ｐｏｕｔ）を直接検知して得られる。
【００６７】
次に、本実施例にかかる駆動蒸気圧力制御工程においては、蒸気エゼクタ６の上流側に接続されたモータバルブ１６（本発明の「圧力調整器」に相当）が、吐出側圧力情報（凝縮器８内部の蒸気側圧力（Ｐｏｕｔ））に基づいてフィードバック制御される。この際、吐出側圧力情報（Ｐｏｕｔ）に基づき必要駆動蒸気圧力（Ｐｇ１）が定められ、蒸気エゼクタ６に導入される駆動蒸気圧力（Ｐｇ）が必要駆動蒸気圧力（Ｐｇ１）となるように、モータバルブ１６がフィードバック制御される。
【００６８】
図１に示すように、本実施例においては、排ガスボイラ２に接続された第一副蒸気供給ライン４上にモータバルブ１６が設けられている。そして、このモータバルブ１６を調整することによって、排ガスボイラ２から第一副蒸気供給ライン４を介して蒸気エゼクタ６に導入される駆動蒸気圧力を適切に制御することが可能となる。
【００６９】
つまり、本実施例によれば、外気温度等が変動することによって、凝縮器８内部の圧力が変動しても、その情報（吐出側圧力情報）を適宜取得して、蒸気エゼクタ６が適切に作動し得る駆動蒸気圧力となるように、モータバルブ１６を調整するため、エネルギを効率的に利用することができる。
【００７０】
ところで、蒸気エゼクタ６を適切に作動させるためには、蒸気エゼクタ６の最高放射圧力（蒸気エゼクタ６から凝縮器８側へ蒸気が放射される際の限界の圧力）（Ｐｍａｘ）が、凝縮器８内部の蒸気側圧力（Ｐｏｕｔ）よりも大きくなければならない（「Ｐｍａｘ＞Ｐｏｕｔ」でなければならない。）。そして、凝縮器８内部の蒸気側圧力（Ｐｏｕｔ）が検知されれば、その圧力値に基づき必要とされる最高放射圧力（Ｐｍａｘ）が定まり、この最高放射圧力（Ｐｍａｘ）で蒸気を噴出させるために必要な駆動蒸気圧力（必要駆動蒸気圧力（Ｐｇ１））も自ずと明らかになる。
【００７１】
したがって、上述したように、凝縮器８内部の蒸気側圧力（Ｐｏｕｔ）に基づいて、第一副蒸気供給ライン４上に設けられたモータバルブ１６をフィードバック制御すれば、第一副蒸気供給ライン４を介して蒸気エゼクタ６に供給される駆動蒸気圧力（Ｐｇ）を効率的に必要駆動蒸気圧力（Ｐｇ１）に調整することができる。つまり、凝縮器８内部の蒸気側圧力（Ｐｏｕｔ）を検知しつつ、駆動蒸気圧力（Ｐｇ）が必要駆動蒸気圧力（Ｐｇ１）となるように、モータバルブ１６をフィードバック制御することによって、蒸気エゼクタ６を最適な条件で駆動させることができ、エネルギの有効利用を図ることが可能となる。
【００７２】
ここで、例えば、冬場において、どのような制御が行われ、どの程度の効率向上を図ることができるのか、具体的なデータに基づき説明する。ここで、夏場における吐出側圧力情報（凝縮器８内部の蒸気側圧力）は４４．６Ｔｏｒｒ、冬場における吐出側圧力情報（凝縮器８内部の蒸気側圧力）は２２．４Ｔｏｒｒとする。凝縮器８内部の圧力は、凝縮器８の冷却水出口温度に依存する（凝縮器８内の圧力（吸引側圧力）は冷却水出口温度より数度高い飽和蒸気圧に略等しい）ため、外気温度あるいは湿球温度等が変化しても当然のことながら、凝縮器８内部の圧力は変動する。したがって、夏場と冬場とでは、上述したように圧力に差異が生ずる。
【００７３】
まず、夏場の場合、吐出側圧力情報取得工程において、蒸気エゼクタ６の下流側に接続された凝縮器８内部の蒸気側圧力が４４．６Ｔｏｒｒ（吐出側圧力情報）と検知され、この吐出側圧力情報に基づいて、最高放射圧力（Ｐｍａｘ）が定められる。本実施例においては、５Ｔｏｒｒの余裕をみて、最高放射圧力（Ｐｍａｘ）は４９．６Ｔｏｒｒに定められ、これに必要な必要駆動蒸気圧力（Ｐｇ１）が明らかとなり、第一副蒸気供給ラインから供給される蒸気の駆動蒸気圧力（Ｐｇ）が必要駆動蒸気圧力（Ｐｇ１）となるように、モータバルブ１６がフィードバック制御される。
【００７４】
一方、冬場の場合、吐出側圧力情報取得工程において、蒸気エゼクタ６の下流側に接続された凝縮器８内部の蒸気側圧力が２２．４Ｔｏｒｒ（吐出側圧力情報）と検知され、この吐出側圧力情報に基づいて、最高放射圧力（Ｐｍａｘ）が定められる。本実施例においては、５Ｔｏｒｒの余裕をみて、最高放射圧力（Ｐｍａｘ）は２７．４Ｔｏｒｒに定められ、これに必要な必要駆動蒸気圧力（Ｐｇ１）が明らかとなり、第一副蒸気供給ラインから供給される蒸気の駆動蒸気圧力（Ｐｇ）が必要駆動蒸気圧力（Ｐｇ１）となるように、モータバルブ１６がフィードバック制御される。
【００７５】
つまり、上述したように、本実施例は、従来技術のように、吐出側圧力情報（凝縮器内部の蒸気側圧力）が最も高くなる「夏場」での設定にて一年中運転を行うわけではない。従来技術によれば、吐出側圧力情報（凝縮器内部の蒸気側圧力）が最も高くなる「夏場」での設定にて一年中運転が行われているので、冬場での運転時には、凝縮器冷却水入口温度が低くなり、エゼクタ吐出側（凝縮器内部の）圧力（Ｐｏｕｔ）が低くなる。しかしながら、従来技術にかかる蒸気エゼクタを用いたシステムは、夏場の設定しか行われていないため、蒸気エゼクタが冬場でも夏場と同様の昇圧仕事を行う。つまり、従来技術にかかる蒸気エゼクタは、必要以上の昇圧仕事を行い、冬場でも夏場と同様の駆動蒸気を消費することとなって、エネルギを有効利用することができない。上述のデータ例においては、従来技術であれば、夏場でも冬場でも、最高放射圧力（Ｐｍａｘ）が４９．６Ｔｏｒｒに定められ、これに必要な必要駆動蒸気圧力（Ｐｇ１）が供給されることとなる。
【００７６】
しかしながら、本実施例によれば、季節や外気温の変動等によって凝縮器８内部の圧力が変動しても、上述した吐出側圧力情報取得工程および駆動蒸気圧力制御工程を有する制御方法によって駆動蒸気圧力が適切に制御されるため、冷水製造システムが年間を通じて最適な駆動蒸気圧力で運転されることとなる。つまり、本実施例によれば、冬場等の気温が低下した場合には、それに応じた駆動蒸気圧力にて蒸気エゼクタ６を駆動させ、必要以上の昇圧仕事を行うことがないため、蒸気消費量を低減して、エネルギを有効利用することが可能となる。本実施例は、「蒸気エゼクタ６の最高放射圧力（Ｐｍａｘ）＞凝縮器８内圧力（Ｐｏｕｔ）」の関係を維持可能な低圧で最適な駆動蒸気圧力（Ｐｇ＝Ｐｇ１）で蒸気エゼクタ６を駆動させて、できるだけ高い質量流量比（Ｇ２／Ｇ１）でシステムを運転すべく構成されている。
【００７７】
したがって、本実施例によれば、外気温度にかかわらず、年間を通じて最適な駆動蒸気圧力で運転することによって、冬場の蒸気消費量を低減することが可能な、蒸気エゼクタ６における駆動蒸気圧力の制御方法を得ることができる。また、このような蒸気エゼクタ６における駆動蒸気圧力の制御方法を用いれば、冷水製造システム全体としても年間での平均ランニングコストを低減することが可能となる。さらに、このように構成された冷水製造システムであれば、余剰蒸気を使用して冷水を製造可能であるため、システム全体としてランニングコストを低く抑えることができる。また、冷媒を一切使用せずに冷水を製造可能であるため、環境にやさしい冷水製造システムを構成することができる。さらに、冷水製造システム全体として、ボイラ（例えば、排ガスボイラ）の稼働率の向上と、契約電力量の低減を図ることができる。また、本実施例にかかる冷水製造システムは、蒸気エゼクタ６を用いて減圧処理等を行っているため、駆動部がない。したがって、この冷水製造システムによれば、定期点検やメンテナンス処理にかかる時間や費用を低減することができる。
【００７８】
＜第二実施例＞
次に、本発明の第二実施例について説明する。
【００７９】
本発明の第二実施例にかかる冷水製造システムは、第一実施例と同様に、先に説明した図１と同様の機器を用いて構成されている。第一実施例との違いは、蒸気エゼクタにおける駆動蒸気圧力の制御方法のみである。したがって、以下においては、図１を参照しつつ、本実施例にかかる制御方法について主に説明し、第一実施例と同様の部分については、説明を割愛する。
【００８０】
本実施例にかかる冷水製造システムを構成する蒸気エゼクタ６における駆動蒸気圧力の制御方法は、蒸気エゼクタ６の吐出側圧力を予測する吐出側圧力情報取得工程と、吐出側圧力情報取得工程にて得られた吐出側圧力情報に基づいて、蒸気エゼクタ６を駆動させる駆動蒸気圧力を制御する駆動蒸気圧力制御工程とを備えている。
【００８１】
まず、本実施例にかかる吐出側圧力情報取得工程においては、蒸気エゼクタ６の下流側に接続された機器（凝縮器８）に関する温度情報から予測された圧力が、吐出側圧力情報として得られる。より具体的には、本実施例にかかる吐出側圧力情報は、凝縮水８ａ温度あるいは凝縮器８冷却水出口温度（Ｔｃ２）を検知して、この検知した温度から予測することによって得られる。つまり、本実施例においては、蒸気エゼクタ６の吐出側圧力（Ｐｏｕｔ）を直接的に検知するのではなく、凝縮器８に関する温度情報（凝縮水８ａ温度あるいは凝縮器８冷却水出口温度）から予測する。例えば、冷却水出口温度（Ｔｃ２）から吐出側圧力情報を得る場合（予測する場合）には、「冷却水出口温度（Ｔｃ２）＋３℃」の温度における飽和蒸気圧を蒸気エゼクタ６の吐出側圧力（Ｐｏｕｔ）として予測する。そして、この予測値（蒸気エゼクタ６の吐出側圧力（Ｐｏｕｔ））に基づいて、駆動蒸気圧力制御工程を行う。ここで、冷却水出口温度（Ｔｃ２）に３℃を足した温度の飽和蒸気圧力を蒸気エゼクタ６の吐出側圧力（Ｐｏｕｔ）として予測したが、冷却水出口温度（Ｔｃ２）に何度足すかは、凝縮器の伝熱面積、凝縮水量、凝縮水冷却水流速等に依存する。
【００８２】
次に、本実施例にかかる駆動蒸気圧力制御工程においては、蒸気エゼクタ６の上流側に接続されたモータバルブ１６が、予測した吐出側圧力情報（Ｐｏｕｔ）に基づき、所定の開度に制御される。この際、吐出側圧力情報（Ｐｏｕｔ）に基づき必要駆動蒸気圧力（Ｐｇ１）が定められ、所定のテーブルに基づき、蒸気エゼクタ６に導入される駆動蒸気圧力（Ｐｇ）が必要駆動蒸気圧力（Ｐｇ１）となるように、モータバルブ１６の開度が所定の開度に制御される。
【００８３】
図１に示すように、本実施例においては、排ガスボイラ２に接続された第一副蒸気供給ライン４上にモータバルブ１６が設けられている。そして、このモータバルブ１６を所定のテーブルに基づき調整することによって、排ガスボイラ２から第一副蒸気供給ライン４を介して蒸気エゼクタ６に導入される駆動蒸気圧力を適切に制御することが可能となる。
【００８４】
つまり、本実施例によれば、外気温度等が変動することによって、凝縮器８内部の圧力が変動しても、その情報（吐出側圧力情報）を凝縮器８に関する温度情報から予測して、蒸気エゼクタ６が適切に作動し得る駆動蒸気圧力となるように、モータバルブ１６を調整するため、エネルギを効率的に利用することができる。
【００８５】
ところで、蒸気エゼクタ６を適切に作動させるためには、蒸気エゼクタ６の最高放射圧力（蒸気エゼクタ６から凝縮器８側へ蒸気が放射される際の限界圧力）（Ｐｍａｘ）が、凝縮器８内部の蒸気側圧力（Ｐｏｕｔ）よりも大きくなければならない（「Ｐｍａｘ＞Ｐｏｕｔ」でなければならない。）のは、第一実施例にて説明した通りである。そして、凝縮器８内部の蒸気側圧力（Ｐｏｕｔ）が予測可能であれば、その予測された圧力値に基づき必要とされる最高放射圧力（Ｐｍａｘ）が定まり、この最高放射圧力（Ｐｍａｘ）で蒸気を噴出させるために必要な駆動蒸気圧力（必要駆動蒸気圧力（Ｐｇ１））も自ずと明らかになる。
【００８６】
したがって、上述したように、凝縮器８内部の蒸気側圧力（Ｐｏｕｔ）の予測値、および所定のテーブルに基づいて、第一副蒸気供給ライン４上に設けられたモータバルブ１６の開度を制御すれば、第一副蒸気供給ライン４を介して蒸気エゼクタ６に供給される駆動蒸気圧力（Ｐｇ）を効率的に必要駆動蒸気圧力（Ｐｇ１）に調整することができる。つまり、凝縮器８内部の蒸気側圧力（Ｐｏｕｔ）を予測して、駆動蒸気圧力（Ｐｇ）が必要駆動蒸気圧力（Ｐｇ１）となるように、モータバルブ１６の開度を制御することによって、蒸気エゼクタ６を最適な条件で駆動させることができ、エネルギの有効利用を図ることが可能となる。
【００８７】
本実施例においては、「所定のテーブル」として、例えば、凝縮器８内部の蒸気側圧力（Ｐｏｕｔ）の予測値と必要駆動蒸気圧力（Ｐｇ１）との関係を示す第一テーブル、および第一副蒸気供給ライン４における駆動蒸気圧力（Ｐｇ）とモータバルブ１６の開度との関係を示す第二テーブルを有する場合があげられる。このような構成であれば、第一テーブルを用いて、凝縮器８内部の蒸気側圧力（Ｐｏｕｔ）の予測値から必要駆動蒸気圧力（Ｐｇ１）が定められ、第二テーブルを用いて、第一副蒸気供給ライン４における駆動蒸気圧力（Ｐｇ）が必要駆動蒸気圧力（Ｐｇ１）となるように、モータバルブ１６の開度を制御することができる。ただし、「所定のテーブル」は、この構成に限定されず、例えば、凝縮器８内部の蒸気側圧力（Ｐｏｕｔ）の予測値とモータバルブ１６の開度との関係を示すテーブルを用いて、適宜モータバルブ１６の開度を制御すべく構成してもよい。
【００８８】
また、本実施例においても、第一実施例の場合と同様に、最高放射圧力（Ｐｍａｘ）は、凝縮器８内部の蒸気側圧力（Ｐｏｕｔ）の予測値に５Ｔｏｒｒ程度の余裕をみて定められ、これに必要な必要駆動蒸気圧力（Ｐｇ１）が明らかとなる。そして、第一副蒸気供給ラインから供給される蒸気の駆動蒸気圧力（Ｐｇ）が必要駆動蒸気圧力（Ｐｇ１）となるように、所定のテーブルに基づいて、モータバルブ１６が制御される。
【００８９】
本発明の第二実施例にかかる冷水製造装置は、以上のように構成、制御されるため、先に説明した第一実施例の場合と同様に、季節や外気温の変動等によって凝縮器８内部の圧力が変動しても、上述した吐出側圧力情報取得工程および駆動蒸気圧力制御工程を有する制御方法によって駆動蒸気圧力が適切に制御されるため、冷水製造システムが年間を通じて最適な駆動蒸気圧力で運転されることとなる。つまり、本実施例によれば、冬場等の気温が低下した場合には、それに応じた駆動蒸気圧力にて蒸気エゼクタ６を駆動させ、必要以上の昇圧仕事を行うことがないため、蒸気消費量を低減して、エネルギを有効利用することが可能となる。本実施例は、「蒸気エゼクタ６の最高放射圧力（Ｐｍａｘ）＞凝縮器８内圧力（Ｐｏｕｔ）」の関係を維持可能な低圧で最適な駆動蒸気圧力（Ｐｇ＝Ｐｇ１）で蒸気エゼクタ６を駆動させて、できるだけ高い質量流量比（Ｇ２／Ｇ１）でシステムを運転すべく構成されている。
【００９０】
したがって、本実施例によれば、第一実施例と同様に、外気温度にかかわらず、年間を通じて最適な駆動蒸気圧力で運転することによって、冬場の蒸気消費量を低減することが可能な、蒸気エゼクタ６における駆動蒸気圧力の制御方法を得ることができる。また、このような蒸気エゼクタ６における駆動蒸気圧力の制御方法を用いれば、冷水製造システム全体としても年間での平均ランニングコストを低減することが可能となる。さらに、このように構成された冷水製造システムであれば、余剰蒸気を使用して冷水を製造可能であるため、システム全体としてランニングコストを低く抑えることができる。また、冷媒を一切使用せずに冷水を製造可能であるため、環境にやさしい冷水製造システムを構成することができる。さらに、冷水製造システム全体として、ボイラ（例えば、排ガスボイラ）の稼働率の向上と、契約電力量の低減を図ることができる。また、本実施例にかかる冷水製造システムは、蒸気エゼクタ６を用いて減圧処理等を行っているため、駆動部がない。したがって、この冷水製造システムによれば、定期点検やメンテナンス処理にかかる時間や費用を低減することができる。
【００９１】
＜第三実施例＞
次に、本発明の第三実施例について説明する。
【００９２】
本発明の第三実施例にかかる冷水製造システムは、第一実施例および第二実施例と同様に、先に説明した図１と同様の機器を用いて構成されている。第一実施例等との違いは、蒸気エゼクタにおける駆動蒸気圧力の制御方法のみである。したがって、以下においては、図１を参照しつつ、本実施例にかかる制御方法について主に説明し、第一実施例等と同様の部分については、説明を割愛する。
【００９３】
本実施例にかかる冷水製造システムを構成する蒸気エゼクタ６における駆動蒸気圧力の制御方法は、蒸気エゼクタ６の吐出側圧力を検知あるいは予測する吐出側圧力情報取得工程と、吐出側圧力情報取得工程にて得られた吐出側圧力情報に基づいて、蒸気エゼクタ６を駆動させる駆動蒸気圧力を制御する駆動蒸気圧力制御工程とを備えている。
【００９４】
まず、本実施例にかかる吐出側圧力情報取得工程においては、第一実施例（蒸気エゼクタ６の吐出側圧力を検知する方法）あるいは第二実施例（蒸気エゼクタ６の吐出側圧力を予測する方法）にて説明したいずれかの方法によって、蒸気エゼクタ６の吐出側圧力情報（Ｐｏｕｔ）を取得する。
【００９５】
次に、本実施例にかかる駆動蒸気圧力制御工程においては、蒸気エゼクタ６の上流側に接続されたモータバルブ１６が、吐出側圧力情報（Ｐｏｕｔ）に基づき、所定の開度に制御される第一開度制御ステップと、蒸気エゼクタ６の表面温度情報を検知する表面温度情報検知ステップと、蒸気エゼクタ６の上流側に接続されたモータバルブ１６が、表面温度情報に基づいてフィードバック制御される第二開度制御ステップとが行われる。
【００９６】
つまり、本実施例にかかる駆動蒸気圧力制御工程においては、取得した吐出側圧力情報（Ｐｏｕｔ）から必要駆動蒸気圧力（Ｐｇ１）が定められ、所定のテーブルに基づき、蒸気エゼクタ６に導入される駆動蒸気圧力（Ｐｇ）が必要駆動蒸気圧力（Ｐｇ１）となるように、モータバルブ１６の開度が所定の開度に制御される（第一開度制御ステップ）。次いで、蒸気エゼクタ６の表面温度情報（Ｔｅ）を検知して（表面温度情報検知ステップ）、この蒸気エゼクタ６の表面温度があらかじめ定められた表面設定温度（Ｔｅ１）になるように、モータバルブ１６がフィードバック制御される（第二開度制御ステップ）。この第二開度制御ステップにおいては、「Ｔｅ＝Ｔｅ１」となるように、モータバルブ１６の開度が制御される。
【００９７】
ここで、「表面設定温度（Ｔｅ１）」は、蒸気エゼクタ６が破綻しない程度の余裕を含めた温度である。蒸気エゼクタ６の表面温度（Ｔｅ）が上昇すると（「Ｔｅ＞Ｔｅ１」となると）、蒸気エゼクタ６の破綻のおそれがあるため、本実施例においては、破綻する前に駆動蒸気圧力（Ｐｇ）を高めて「Ｔｅ＝Ｔｅ１」となるように、モータバルブ１６の開度をフィードバック制御する。ただし、この場合においても、駆動蒸気圧力（Ｐｇ）は必要以上に高くしない。これは、駆動蒸気圧力（Ｐｇ）が高いほど、蒸気エゼクタ６の最高放射圧力（Ｐｍａｘ）が高くなり、蒸気エゼクタ６が必要以上の昇圧仕事を行うこととなって、吸引蒸気の消費量が増え、システム全体としてのエネルギ効率が低下するからである。
【００９８】
図１に示すように、本実施例においては、排ガスボイラ２に接続された第一副蒸気供給ライン４上にモータバルブ１６が設けられている。そして、このモータバルブ１６を、第一開度制御ステップおよび第二開度制御ステップに基づき調整することによって、排ガスボイラ２から第一副蒸気供給ライン４を介して蒸気エゼクタ６に導入される駆動蒸気圧力を適切に制御することが可能となる。
【００９９】
つまり、本実施例によれば、外気温度等が変動することによって、凝縮器８内部の圧力が変動しても、その情報（吐出側圧力情報）を検知あるいは予測して、蒸気エゼクタ６が適切に作動し得る駆動蒸気圧力となるように、モータバルブ１６を調整するため、エネルギを効率的に利用することができる。
【０１００】
ところで、蒸気エゼクタ６を適切に作動させるためには、蒸気エゼクタ６の最高放射圧力（蒸気エゼクタ６から凝縮器８側へ蒸気が放射される際の圧力）（Ｐｍａｘ）が、凝縮器８内部の蒸気側圧力（Ｐｏｕｔ）よりも大きくなければならない（「Ｐｍａｘ＞Ｐｏｕｔ」でなければならない。）のは、第一実施例にて説明した通りである。そして、凝縮器８内部の蒸気側圧力（Ｐｏｕｔ）が検知あるいは予測可能であれば、その検知あるいは予測された圧力値に基づき必要とされる最高放射圧力（Ｐｍａｘ）が定まり、この最高放射圧力（Ｐｍａｘ）で蒸気を噴出させるために必要な駆動蒸気圧力（必要駆動蒸気圧力（Ｐｇ１））も自ずと明らかになる。
【０１０１】
したがって、上述したように、取得された凝縮器８内部の蒸気側圧力（Ｐｏｕｔ）に基づいて、第一開度制御ステップおよび第二開度制御ステップにより、第一副蒸気供給ライン４上に設けられたモータバルブ１６の開度を制御すれば、第一副蒸気供給ライン４を介して蒸気エゼクタ６に供給される駆動蒸気圧力（Ｐｇ）を効率的に必要駆動蒸気圧力（Ｐｇ１）に調整することができる。つまり、凝縮器８内部の蒸気側圧力（Ｐｏｕｔ）を検知あるいは予測して、駆動蒸気圧力（Ｐｇ）が必要駆動蒸気圧力（Ｐｇ１）となるように、モータバルブ１６の開度を制御することによって、蒸気エゼクタ６を最適な条件で駆動させることができ、エネルギの有効利用を図ることが可能となる。
【０１０２】
本実施例においては、「所定のテーブル」として、例えば、第二実施例と同様に、凝縮器８内部の蒸気側圧力（Ｐｏｕｔ）の検知値あるいは予測値と必要駆動蒸気圧力（Ｐｇ１）との関係を示す第一テーブル、および第一副蒸気供給ライン４における駆動蒸気圧力（Ｐｇ）とモータバルブ１６の開度との関係を示す第二テーブルを有する場合があげられる。また、他の「所定のテーブル」としては、例えば、凝縮器８内部の蒸気側圧力（Ｐｏｕｔ）の検知値あるいは予測値とモータバルブ１６の開度との関係を示すテーブルがあげられる。
【０１０３】
また、本実施例においても、第一実施例および第二実施例の場合と同様に、最高放射圧力（Ｐｍａｘ）は、凝縮器８内部の蒸気側圧力（Ｐｏｕｔ）の検知値あるいは予測値に５Ｔｏｒｒ程度の余裕をみて定められ、これに必要な必要駆動蒸気圧力（Ｐｇ１）が明らかとなる。そして、第一副蒸気供給ラインから供給される蒸気の駆動蒸気圧力（Ｐｇ）が必要駆動蒸気圧力（Ｐｇ１）となるように、所定のテーブルに基づいて、モータバルブ１６が制御される。
【０１０４】
本発明の第三実施例にかかる冷水製造装置は、以上のように構成、制御されるため、先に説明した第一実施例および第二実施例の場合と同様に、季節や外気温の変動等によって凝縮器８内部の圧力が変動しても、上述した吐出側圧力情報取得工程および駆動蒸気圧力制御工程を有する制御方法によって駆動蒸気圧力が適切に制御されるため、冷水製造システムが年間を通じて最適な駆動蒸気圧力で運転されることとなる。つまり、本実施例によれば、冬場等の気温が低下した場合には、それに応じた駆動蒸気圧力にて蒸気エゼクタ６を駆動させ、必要以上の昇圧仕事を行うことがないため、蒸気消費量を低減して、エネルギを有効利用することが可能となる。本実施例は、「蒸気エゼクタ６の最高放射圧力（Ｐｍａｘ）＞凝縮器８内圧力（Ｐｏｕｔ）」の関係を維持可能な低圧で最適な駆動蒸気圧力（Ｐｇ＝Ｐｇ１）で蒸気エゼクタ６を駆動させて、できるだけ高い質量流量比（Ｇ２／Ｇ１）でシステムを運転すべく構成されている。
【０１０５】
したがって、本実施例によれば、第一実施例および第二実施例と同様に、外気温度にかかわらず、年間を通じて最適な駆動蒸気圧力で運転することによって、冬場の蒸気消費量を低減することが可能な、蒸気エゼクタ６における駆動蒸気圧力の制御方法を得ることができる。また、このような蒸気エゼクタ６における駆動蒸気圧力の制御方法を用いれば、冷水製造システム全体としても年間での平均ランニングコストを低減することが可能となる。さらに、このように構成された冷水製造システムであれば、余剰蒸気を使用して冷水を製造可能であるため、システム全体としてランニングコストを低く抑えることができる。また、冷媒を一切使用せずに冷水を製造可能であるため、環境にやさしい冷水製造システムを構成することができる。さらに、冷水製造システム全体として、ボイラ（例えば、排ガスボイラ）の稼働率の向上と、契約電力量の低減を図ることができる。また、本実施例にかかる冷水製造システムは、蒸気エゼクタ６を用いて減圧処理等を行っているため、駆動部がない。したがって、この冷水製造システムによれば、定期点検やメンテナンス処理にかかる時間や費用を低減することができる。加えて、本実施例においては、蒸気エゼクタ６の破綻も事前に検知し、かかる破綻を防止しつつ、エネルギの有効利用を図ることができる。
【０１０６】
＜第四実施例＞
次に、本発明の第四実施例について説明する。
【０１０７】
図２は、本発明の第四実施例にかかる蒸気エゼクタを用いて構成された冷水製造システムの概略図を示したものである。この図２に示された冷水製造システムは、本発明にかかる蒸気エゼクタを用いて構成されたエネルギを有効利用可能なシステムの一例を示すものである。
【０１０８】
本発明の第四実施例にかかる冷水製造システムは、基本的には、先に説明した第一実施例と同様の機器を用いて構成されている。第一実施例との違いは、蒸気エゼクタの制御方法のみである。したがって、以下においては、図２に基づいて、本実施例にかかる制御方法について主に説明し、第一実施例と同様の部分については、説明を割愛する。
【０１０９】
本実施例にかかる冷水製造システムを構成する蒸気エゼクタ６における駆動蒸気量の制御方法は、蒸気エゼクタ６の吐出側情報を検知あるいは予測する吐出側情報取得工程と、蒸気エゼクタ６の吸引側情報を検知あるいは予測する吸引側情報取得工程と、吐出側情報取得工程にて得られた吐出側情報および吸引側情報取得工程にて得られた吸引側情報に基づいて、蒸気エゼクタ６を駆動させる駆動蒸気量を制御する駆動蒸気量制御工程とを備えている。
【０１１０】
つまり、本実施例によれば、蒸気エゼクタ６の上流側の情報（吸引側情報）と下流側の情報（吐出側情報）とに基づいて、蒸気エゼクタ６を効率的に駆動させることができる。より具体的には、外気温度等が変動することによって、凝縮器８内部の圧力が変動しても、その情報（吐出側情報）を適宜取得して、蒸気エゼクタ６が適切に作動し得る駆動蒸気圧力となるように、モータバルブ１６を調整することによって、エネルギを効率的に利用することができる。また、冷水を製造する箇所である真空式冷却塔７を目標の冷却温度としたい場合には、上記吐出側情報と真空式冷却塔７の現在の温度（Ｔ０）（吸引側情報）とを適宜取得して、この吐出側情報と吸引側情報とに基づいて、蒸気エゼクタ６が適切に作動し得る駆動蒸気量となるようにモータバルブ１６を調整して、エネルギを効率的に利用することができる。
【０１１１】
以下、具体的な制御方法について説明する。
【０１１２】
まず、本実施例にかかる吐出側情報取得工程においては、上述した第一実施例から第三実施例のいずれかの方法にて、最高放射圧力（Ｐｍａｘ）が定められる。
【０１１３】
例えば、第一実施例にて説明したように、蒸気エゼクタ６の下流側に接続された機器（凝縮器８）に関して検知された圧力が、吐出側圧力情報として得られる。より具体的には、本実施例にかかる吐出側圧力情報は、凝縮器８内部の蒸気側圧力（Ｐｏｕｔ）を直接検知して得られる。
次に、蒸気エゼクタ６の上流側に接続されたモータバルブ１６（本発明の「圧力調整器」に相当）が、吐出側圧力情報（凝縮器８内部の蒸気側圧力（Ｐｏｕｔ））に基づいてフィードバック制御される。この際、吐出側圧力情報（Ｐｏｕｔ）に基づき必要駆動蒸気圧力（Ｐｇ１）が定められ、蒸気エゼクタ６に導入される駆動蒸気圧力（Ｐｇ）が必要駆動蒸気圧力（Ｐｇ１）となるように、モータバルブ１６がフィードバック制御される。
蒸気エゼクタ６を適切に作動させるためには、蒸気エゼクタ６の最高放射圧力（蒸気エゼクタ６から凝縮器８側へ蒸気が放射される際の限界の圧力）（Ｐｍａｘ）が、凝縮器８内部の蒸気側圧力（Ｐｏｕｔ）よりも大きくなければならない（「Ｐｍａｘ＞Ｐｏｕｔ」でなければならない。）。そして、凝縮器８内部の蒸気側圧力（Ｐｏｕｔ）が検知されれば、その圧力値に基づき必要とされる最高放射圧力（Ｐｍａｘ）が定まり、この最高放射圧力（Ｐｍａｘ）で蒸気を噴出させるために必要な駆動蒸気圧力（必要駆動蒸気圧力（Ｐｇ１））も自ずと明らかになる。
【０１１４】
次いで、本実施例にかかる吸引側情報取得工程においては、蒸気エゼクタ６の上流側に接続された機器（真空式冷却塔７）に関して検知された温度が、吸引側情報として得られる。より具体的には、真空式冷却塔７の現在温度（Ｔ０）が吸引側情報として得られる。
【０１１５】
そして、本実施例においては、上述の吐出側情報取得工程にて得られた最高放射圧力（Ｐｍａｘ）（本発明の「吐出側情報取得工程にて得られた吐出側情報」に相当）と、この真空式冷却塔７の現在温度（Ｔ０）（本発明の「吸引側情報取得工程にて得られた吸引側情報」に相当）とに基づいて、蒸気エゼクタ６を駆動させる駆動蒸気量の制御が行われる。より具体的には、最高放射圧力（Ｐｍａｘ）と真空式冷却塔７の目標冷却温度（Ｔｔ）とから求めることができる駆動蒸気量（Ｇ１０）に、吸引側情報（現在温度（Ｔ０））から算出される補正率αを乗じることによって、蒸気エゼクタ６を効率的に駆動させるために最適な駆動蒸気量（Ｇ１）を得ることができる。
【０１１６】
上述した各実施例においても説明したように、最高放射圧力（Ｐｍａｘ）は、吐出側圧力（Ｐｏｕｔ）よりも大きい値に設定される（Ｐｍａｘ＞Ｐｏｕｔ）。例えば、春・秋の場合、最高放射圧力（Ｐｍａｘ）は、吐出側の温度等から求めることができる圧力より高い圧力（Ｐｂ）に設定される。「Ｐｍａｘ＝Ｐｂ」において、目標冷却温度（Ｔｔ）が５℃の場合の駆動蒸気量Ｇ１は、所定の圧力Ｇ１０となる。また、真空式冷却塔７の現在温度（Ｔ０）が１２．５℃の場合の駆動蒸気量Ｇ１は、所定の圧力Ｇ１１となる。本実施例においては、上述した補正率αは、これらの駆動蒸気量Ｇ１０，Ｇ１１を用いて、「α＝Ｇ１１／Ｇ１０」と表現される。そして、真空式冷却塔７を目標冷却温度（Ｔｔ）とするための駆動蒸気量Ｇ１は、「Ｇ１＝Ｇ１０×α」にて定められる。
【０１１７】
すなわち、本実施例においては、真空式冷却塔７を目標冷却温度（Ｔｔ）とする場合（換言すれば、冷却水温度を目標温度とする場合）、蒸気エゼクタ６の吐出側情報に基づいて最高放射圧力（Ｐｍａｘ）を定め、この最高放射圧力（Ｐｍａｘ）から求められる各温度（目標冷却温度（Ｔｔ），現在温度（Ｔ０））における駆動蒸気量Ｇ１０，Ｇ１１と補正率αとから、蒸気エゼクタ６を駆動させるために必要となる最適な駆動蒸気量Ｇ１を求めることができる。本実施例においては、得られた最適な駆動蒸気量Ｇ１を実現するために、モータバルブ１６がフィードバック制御される。
【０１１８】
本発明の第四実施例にかかる冷水製造装置は、以上のように構成、制御されるため、先に説明した第一実施例等の場合と同様に、季節や外気温の変動等によって凝縮器８内部の圧力が変動しても、上述した吐出側情報取得工程等を有する制御方法によって駆動蒸気圧力が適切に制御されるため、冷水製造システムが年間を通じて最適な駆動蒸気圧力で運転されることとなる。また、真空式冷却塔７内の温度や圧力の条件が変化しても、上述した吐出側情報取得工程、吸引側情報取得工程、および駆動蒸気量制御工程を有する制御方法によって駆動蒸気量が適切に制御されるため、年間を通じて効率的に最適な温度（冷水温度）にて冷水製造システムを運転可能となる。
【０１１９】
つまり、本実施例によれば、冬場等の気温が低下した場合や必要な冷水温度等の吐出側条件および吸引側条件に応じて、蒸気エゼクタ６を適切な駆動蒸気量等にて駆動させ、必要以上の昇圧仕事を行うことがないため、蒸気消費量を低減して、エネルギを有効利用することが可能となる。本実施例は、「蒸気エゼクタ６の最高放射圧力（Ｐｍａｘ）＞凝縮器８内圧力（Ｐｏｕｔ）」の関係を維持可能な低圧で最適な駆動蒸気圧力（Ｐｇ＝Ｐｇ１）で蒸気エゼクタ６を駆動させて、できるだけ高い質量流量比（Ｇ２／Ｇ１）でシステムを運転すべく構成されている。
【０１２０】
したがって、本実施例によれば、第一実施例等と同様に、外気温度にかかわらず、年間を通じて最適な駆動蒸気圧力で運転することによって、冬場の蒸気消費量を低減することが可能な、蒸気エゼクタ６の制御方法を得ることができる。また、このような蒸気エゼクタ６の制御方法を用いれば、目標温度の冷水を効率的に製造可能な冷水製造システムを得ることができる。さらに、このような蒸気エゼクタ６の制御方法を用いれば、冷水製造システム全体としても年間での平均ランニングコストを低減することが可能となる。また、このように構成された冷水製造システムであれば、余剰蒸気を使用して冷水を製造可能であるため、システム全体としてランニングコストを低く抑えることができる。さらに、冷媒を一切使用せずに冷水を製造可能であるため、環境にやさしい冷水製造システムを構成することができる。また、冷水製造システム全体として、ボイラ（例えば、排ガスボイラ）の稼働率の向上と、契約電力量の低減を図ることができる。さらに、本実施例にかかる冷水製造システムは、蒸気エゼクタ６を用いて減圧処理等を行っているため、駆動部がない。したがって、この冷水製造システムによれば、定期点検やメンテナンス処理にかかる時間や費用を低減することができる。
【０１２１】
なお、上記第四実施例においては、蒸気エゼクタ６の吐出側情報を検知あるいは予測する吐出側情報取得工程と、蒸気エゼクタ６の吸引側情報を検知あるいは予測する吸引側情報取得工程と、吐出側情報取得工程にて得られた吐出側情報および吸引側情報取得工程にて得られた吸引側情報に基づいて、蒸気エゼクタ６を駆動させる駆動蒸気量を制御する駆動蒸気量制御工程とを有する場合について説明したが、本発明は、この構成に限定されない。
【０１２２】
したがって、例えば、本発明にかかる蒸気エゼクタ６における駆動蒸気量の制御方法は、蒸気エゼクタ６の吸引側情報を検知あるいは予測する吸引側情報取得工程と、吸引側情報取得工程にて得られた吸引側情報に基づいて蒸気エゼクタ６を駆動させる駆動蒸気量を制御する駆動蒸気量制御工程とを有する構成でもよい。このように、吐出側情報取得工程を有しない構成であっても、予め季節や外気温度等に応じて所定の吐出側情報が定められておれば、効率的に目標とする冷却水温度を実現し得る冷水製造装置を構成することが可能な蒸気エゼクタを得ることができる。
【０１２３】
＜その他の実施例等＞
なお、本発明は、上記実施形態および実施例に限定されるものではなく、本発明の趣旨に適合し得る範囲で必要に応じて種々の変更を加えて実施することも可能であり、それらはいずれも本発明の技術的範囲に含まれる。
【０１２４】
例えば、上記第一実施例における吐出側圧力情報取得工程と、上記第二実施例における駆動蒸気圧力制御工程とを組み合わせて、蒸気エゼクタにおける駆動蒸気圧力の制御を行ってもよい。また、上記第二実施例における吐出側圧力情報取得工程と、上記第一実施例における駆動蒸気圧力制御工程とを組み合わせて、蒸気エゼクタにおける駆動蒸気圧力の制御を行ってもよい。
【０１２５】
また、上記第二実施例においては、凝縮器８冷却水出口温度（Ｔｃ２）から蒸気エゼクタ６の吐出側圧力（Ｐｏｕｔ）を予測する場合について示したが、本発明は、この構成に限定されない。したがって、例えば、各季節（あるいは各月）における湿球温度のデータから、冷却塔１１での冷却後の冷水温度（凝縮器８における冷却水入口温度）と凝縮器８冷却水出口温度（Ｔｃ２）を予測し、これらの値から、凝縮器８出口側圧力の最大値を推定してもよい。また、このような予測および推定を行う場合には、凝縮器８出口側圧力の最大値を推定し、各季節（あるいは各月）によって設定した駆動蒸気圧力で蒸気エゼクタ６を運転すべく構成してもよい。
【０１２６】
さらに、例えば、湿球温度の検知、外気温度の検知、あるいは外気温度と相対湿度の検知により、冷却塔１１での冷却後の冷水温度（凝縮器８における冷却水入口温度）と凝縮器８冷却水出口温度（Ｔｃ２）を予測し、これらの値から、凝縮器８出口側圧力を推定し、この推知値に基づいて、蒸気エゼクタ６を最適な駆動蒸気圧力で運転すべく構成してもよい。
【０１２７】
また、上記実施例においては、圧力調整器として、第一副蒸気供給ライン上に、一つのモータバルブ１６（無段階制御可能なモータバルブ）を設ける場合について説明したが、本発明は、この構成に限定されない。したがって、例えば、第一副蒸気供給ライン上に電磁弁とオリフィスとを組み合わせて配設してもよい。より具体的には、例えば、第一副蒸気供給ラインに一つあるいは複数のバイパスラインを設け、それぞれのライン上に、電磁弁と、この電磁弁の下流側に設けられたオリフィスとを組み合わせて配設し、これらの電磁弁とオリフィスとを用いて圧力調整器を構成してもよい。仮に、二つの電磁弁（第一電磁弁、第二電磁弁）と二つのオリフィスとを組み合わせて圧力調整器を構成した場合には、第一電磁弁のみ「開」状態であれば、駆動蒸気圧力を第一圧力値に制御可能となり、第二電磁弁のみ「開」状態であれば、駆動蒸気圧力を第二圧力値に制御可能となり、第一電磁弁および第二電磁弁の両方が「開」状態であれば、駆動蒸気圧力を第三圧力値に制御可能となる。つまり、これらの電磁弁とオリフィスとの組み合わせによって、三段階の圧力制御が可能な圧力調整器を構成することができる。
【０１２８】
また、上記実施例においては、蒸気エゼクタ６内に蒸気を噴出させるためのノズル部（図示省略）が一つ設けられており、そのノズル部に蒸気を供給する際の圧力調整器として、第一副蒸気供給ライン上に、一つのモータバルブ１６（無段階制御可能なモータバルブ）を設ける場合について説明したが、本発明は、この構成に限定されない。したがって、例えば、蒸気エゼクタ内に複数のノズル部が設けられている場合には、それぞれのノズル部の上流側に別個独立の圧力調整器を設けてもよいし、また、それぞれのノズル部に連動した圧力調整器を設けてもよい。例えば、蒸気エゼクタ内に二つのノズル部を有する場合には、第一副蒸気供給ライン上に減圧弁を設け、この減圧弁の下流側に、それぞれのノズル部に連通する蒸気供給ラインを設け（つまり、第一副蒸気供給ラインと、この第一副蒸気供給ラインから分岐した一つのバイパスラインとを設け）、それぞれのノズル部に連通する各蒸気供給ライン上に電磁弁を設けるべく構成してもよい。つまり、第一副蒸気供給ライン上に設けられた減圧弁と、その下流側における二つの蒸気供給ライン上にそれぞれ設けられた電磁弁とを用いて、圧力調整器を構成してもよい。
【図面の簡単な説明】
【０１２９】
【図１】本発明の実施例にかかる蒸気エゼクタを用いて構成された冷水製造システムの概略図を示したものである。
【図２】本発明の第四実施例にかかる蒸気エゼクタを用いて構成された冷水製造システムの概略図を示したものである。
【符号の説明】
【０１３０】
１    エンジン
２    排ガスボイラ
３    主蒸気供給ライン
４    第一副蒸気供給ライン
５    第二副蒸気供給ライン
６    蒸気エゼクタ
７    真空式冷却塔
７Ａ    処理水散布部
７ａ    冷水
８    凝縮器
８ａ    凝縮水
９    水封式真空ポンプ
１０    排出ポンプ
１１    冷却塔
１１Ａ    ファン
１１Ｂ    散布部
１２    処理水供給ライン
１３    冷水送水ポンプ
１４    冷却水ライン
１５    蒸気吸引ライン
１６    モータバルブ
【図１】
2007303808.tif 000003
【図２】
2007303808.tif 000004